(57)【特許請求の範囲】
【請求項１】
Ｖ５交換機と、ＩＳＤＮ加入者用のアクセスネットワークと、前記Ｖ５交換機およびこのアクセスネットワークとを接続するＶ５インタフェースとを備え、このＶ５インタフェースのＢチャネルに音声またはデータリンクを設定し、そのＶ５インタフェースのＣチャネルに前記リンクの割当制御を行う制御リンクが設定された加入者アクセス方式において、
前記Ｖ５交換機および前記アクセスネットワークには、それぞれ前記Ｖ５インタフェースのＣチャネルを終端するＬＡＰＶ５制御部を設け、
このＬＡＰＶ５制御部は、前記Ｃチャネルに前記交換機と前記アクセスネットワークとの間に保守制御メッセージを送受信する制御リンクを多重する手段を含み、
前記Ｖ５交換機には、前記ＬＡＰＶ５制御部で多重または分離された保守制御メッセージを中継するフレームリレー手段と、このフレームリレー手段に接続されネットワークの管理装置との間で保守制御メッセージを送受信し、複数のアクセスネットワークからの保守制御メッセージを多重して転送可能とするメッセージ多重部とを含む
ことを特徴とする加入者アクセス方式。
【請求項２】
前記Ｂチャネルの音声またはデータリンクの割当制御を行う制御リンクは前記ＣチャネルのＳＡＰＩ＝０に設定され、前記保守制御メッセージを送受信する制御リンクはＳＡＰＩ＝１６に設定された請求項１記載の加入者アクセス方式。
【発明の詳細な説明】
【０００１】
【発明の属する技術分野】
本発明は、ＩＳＤＮ回線に接続するＶ５交換機および加入者アクセスシステムのリモート集中保守に利用する。
【０００２】
ここで、本明細書中の各略語の意味を説明すると、Ｖ５は、Ｖシリーズインタフェースの一つであり、電話網を用いたデータ通信に関して、ＩＴＵ−Ｔによって勧告された国際標準のインタフェースである。Ｖ５は一般交換電話網における同期データ伝送に対するデータ信号速度の標準化に関する。ＬＡＰＶ５は、Ｌｉｎｋ  Ａｃｃｅｓｓ  Ｐｒｏｔｏｃｏｌ−Ｖ５であり、Ｖ５インタフェースにおけるリンクアクセス手順である。ＳＡＰＩは、Ｓｅｒｖｉｃｅ  Ａｃｃｅｓｓ  Ｐｏｉｎｔ  Ｉｄｅｎｔｉｆｉｅｒであり、サービスアクセス点識別子である。ＮＭＳは、Ｎｅｔｗｏｒｋ  Ｍａｎａｇｅｍｅｎｔ  Ｓｙｓｔｅｍであり、ネットワークの管理装置（リモート集中監視装置）である。ＨＤＬＣは、Ｈｉｇｈ−ｌｅｖｅｌ  Ｄａｔａ  Ｌｉｎｋ  Ｃｏｎｔｒｏｌであり、ハイレベルデータリンク手順である。Ｖ５ＤＬ処理は、Ｖ５−Ｄａｔａ  Ｌｉｎｋ処理であり、Ｖ５インタフェースに関するデータリンク処理である。ＦＲ回線番号は、Ｆｒａｍｅ  Ｒｅｌａｙ回線番号である。Ｑ３は、Ｑシリーズインタフェースの一つである。
【０００３】
【従来の技術】
従来の加入者アクセスシステムのリモート集中保守を図５を参照して説明する。図５は、従来使用されている加入者アクセスシステムのリモート集中保守を実現するための概念を示す図である。Ｖ５インタフェース１による加入者アクセスシステムは、加入者数の増大により装置数が増大するため、そのネットワークの管理装置であるリモート集中監視装置２０もシステム構成が増大する傾向にある。
【０００４】
Ｖ５交換機３０の提供メーカとアクセスネットワーク２１および２２の提供メーカはその保守制御システムを別々に提供しているため、別々に設置しなければならない。さらに、Ｖ５交換機とアクセスネットワーク間に呼処理リンクと保守リンクを別々に設置した場合には、回線コストと設備保守コストの増大となる。
【０００５】
【発明が解決しようとする課題】
Ｖ５インタフェースはＶ５交換機等のローカル交換機とアクセスネットワーク間のオープンなインタフェースを規定している呼制御プロトコルである。保守制御に関してはＱ３インタフェースを使用することで装置メーカに依存しないオープンなシステムを構成できるよう勧告している。ところが、Ｑ３インタフェースに関する実装は複雑であり現在まで、実装する装置は見あたらない。かりにＱ３インタフェースを実装したとしても装置メーカに依存する部分が存在しており、ローカル交換機とアクセスネットワーク間で相互接続のための規約を交換しなければならない。
【０００６】
本発明は、このような背景に行われたものであって、アクセスネットワークの保守メッセージを簡易にネットワークの管理装置に転送することができる加入者アクセス方式を提供することを目的とする。本発明は、Ｖ５交換機側の開発コストを抑制でき、他メーカ製のアクセスネットワークの相互接続性が高くなりＶ５システム構築時の自由度が高くなる加入者アクセス方式を提供することを目的とする。本発明は、別リンクを設置する必要がなくなり設備コストの抑制が可能である加入者アクセス方式を提供することを目的とする。
【０００７】
【課題を解決するための手段】
本発明は、Ｖ５インタフェースを収容する加入者アクセスシステムのアクセスネットワークを監視するためのリモート集中監視で、ローカル交換機によるＶ５インタフェース制御チャネル上の多重リンク中の１本の制御リンクを保守用の専用通信リンクとして使用することを最も主要な特徴とする。
【０００８】
すなわち、本発明は、Ｖ５交換機と、ＩＳＤＮ加入者用のアクセスネットワークと、前記Ｖ５交換機およびこのアクセスネットワークとを接続するＶ５インタフェースとを備え、このＶ５インタフェースのＢチャネルに音声またはデータリンクを設定し、そのＶ５インタフェースのＣチャネルに前記リンクの割当制御を行う制御リンクが設定された加入者アクセス方式である。
【０００９】
ここで、本発明の特徴とするところは、前記Ｖ５交換機および前記アクセスネットワークには、それぞれ前記Ｖ５インタフェースのＣチャネルを終端するＬＡＰＶ５制御部を設け、このＬＡＰＶ５制御部は、前記Ｃチャネルに前記交換機と前記アクセスネットワークとの間に保守制御メッセージを送受信する制御リンクを多重する手段を含むところにある。
【００１０】
前記Ｖ５交換機には、前記ＬＡＰＶ５制御部で多重または分離された保守制御メッセージを中継するフレームリレー手段と、このフレームリレー手段に接続されネットワークの管理装置との間で保守制御メッセージを送受信するメッセージ多重部とを含むことが望ましい。
【００１１】
前記Ｂチャネルの音声またはデータリンクの割当制御を行う制御リンクは、例えば、前記ＣチャネルのＳＡＰＩ＝０に設定され、前記保守制御メッセージを送受信する制御リンクはＳＡＰＩ＝１６に設定される。
【００１２】
Ｖ５交換機は、ＬＡＰＶ５制御部がデータリンクレイヤのプロトコル処理を持ち、サービスアクセス点識別子ＳＡＰＩによって保守専用リンクを形成する構成は一般的である（例えば、特開平１０−１３４８７号公報参照）。本発明では、データリンクレイヤの処理をフレームリレーにより上位レイヤ処理に接続する構成としたことで、交換機処理を簡単にできる。
【００１３】
すなわち、従来は、Ｖ５インタフェースはＬＡＰＶ５処理をソフトウェアで処理しなければならず、設計量が呼制御だけで大きくなっていた。本発明では、アクセスネットワークの保守用メッセージ制御をフレームリレー手段と簡単なメッセージ多重処理で構成できるようになるため、交換機側の設計量が増えず、またアクセスネットワーク側も同様の構成を設計するだけで、多くのアクセスネットワークメーカ装置を接続できる。
【００１４】
これにより、アクセスネットワークメーカ装置にＶ５インタフェースのＣチャネルのサービスアクセス点識別子ＳＡＰＩにより保守メッセージと呼処理メッセージを多重するだけで、簡易にアクセスネットワークの保守メッセージをネットワークの管理装置に転送可能である。したがって、Ｖ５交換機側の開発コストを抑制でき、他メーカ製のアクセスネットワークの相互接続性が高くなりＶ５システム構築時の自由度が高くなる。さらにアクセスネットワークの保守メッセージをＶ５インタフェースのＣチャネルにインバンドで転送できるため、別リンクを設置する必要がなくなり設備コストの抑制が可能である。
【００１５】
【発明の実施の形態】
本発明実施例の加入者アクセス方式の構成を図１を参照して説明する。図１は本発明実施例の加入者アクセス方式の全体構成図である。
【００１６】
本発明は、Ｖ５交換機３０と、ＩＳＤＮ加入者用のアクセスネットワーク２２と、Ｖ５交換機３０およびこのアクセスネットワーク２２とを接続するＶ５インタフェース１および２とを備え、このＶ５インタフェース１のＢチャネルに音声（またはデータ）リンク３を設定し、そのＶ５インタフェース２のＣチャネルに音声リンク３の割当制御を行う制御リンク６が設定された加入者アクセス方式である。
【００１７】
ここで、本発明の特徴とするところは、Ｖ５交換機３０およびアクセスネットワーク２２には、それぞれＶ５インタフェース２のＣチャネルを終端するＬＡＰＶ５制御部３１および２３を設け、このＬＡＰＶ５制御部３１および２３は、前記ＣチャネルにＶ５交換機３０とアクセスネットワーク２２との間に保守制御メッセージを送受信する制御リンク６を多重するところにある。
【００１８】
Ｖ５交換機３０には、ＬＡＰＶ５制御部３１で多重または分離された保守制御メッセージを中継するフレームリレー手段と、このフレームリレー手段に接続されネットワークの管理装置であるリモート集中監視装置２０との間で保守制御メッセージを送受信するメッセージ多重部３２とを含む。
【００１９】
前記Ｂチャネルの音声（またはデータ）リンク３の割当制御を行う制御リンク４は前記ＣチャネルのＳＡＰＩ＝０に設定され、前記保守制御メッセージを送受信する制御リンク５はＳＡＰＩ＝１６に設定される。以下では、本発明実施例をさらに詳細に説明する。
【００２０】
図１は、Ｖ５交換機３０にＶ５インタフェース１および２により接続されたアクセスネットワーク２２とアクセスネットワーク２２のリモート集中監視装置（ＮＭＳ）２０で構成されたアクセスネットワーク集中監視システムを示している。
【００２１】
ここで、Ｖ５インタフェース１および２は、交換機３０とアクセスネットワーク２２間のインタフェース標準を規定している。Ｖ５インタフェース１のＢチャネルは音声またはデータを伝送するベアラチャネルであり通常複数のチャネルより構成されている。Ｖ５インタフェース２のＣチャネルはＢチャネルを制御するための制御チャネルである。Ｃチャネルは通常、１チャネルにより構成され、Ｖ５インタフェース標準のＬＡＰＶ５プロトコルにより多重化された複数の制御リンクより構成されている。
【００２２】
図２に、Ｖ５フレームフォーマットとその構成を示す。個々の制御リンク６は、サービスアクセス点識別子ＳＡＰＩにより指定される。図１で、アクセスネットワーク２２の加入者が通信を行う場合には、アクセスネットワーク２２とＶ５交換機３０間にＢチャネルを１本使用して音声リンク３を設定する。Ｖ５交換機３０はアクセスネットワーク２２との間でＢチャネルの音声リンク３の割当制御を行うための情報を含む呼制御メッセージの交換をＣチャネル上の制御リンク４（ＳＡＰＩ＝０）により行う。Ｖ５交換機３０はアクセスネットワーク２２との間で、アクセスネットワーク２２の保守制御メッセージの交換をＣチャネル上の制御リンク５（ＳＡＰＩ＝１６）により行う。Ｖ５インタフェースの構成および動作については、標準が制定されているからここでは詳しい説明を省略する。
【００２３】
Ｖ５交換機３０はＶ５インタフェース２のＣチャネルを終端するＬＡＰＶ５制御部３１を備えている。ＬＡＰＶ５制御部３１はＶ５インタフェースのＬＡＰＶ５プロトコルを制御し、Ｃチャネル上の制御リンク４（ＳＡＰＩ＝０）と制御リンク５（ＳＡＰＩ＝１６）の多重化機能を備えている。
【００２４】
アクセスネットワーク２２は保守制御メッセージをＣチャネル上の制御リンク５（ＳＡＰＩ＝１６）に割り当てることにより、Ｖ５交換機３０とアクセスネットワーク２２間の保守専用データリンクを確保できる。Ｖ５交換機３０はＬＡＰＶ５制御部３１で分離されたアクセスネットワーク２２の保守制御メッセージをフレームリレー交換してメッセージ多重部３２へ送る。メッセージ多重部３２は、フレームリレーで転送される保守制御メッセージにフレームリレー回線番号をアクセスネットワーク番号として付与してパケット多重してリモート集中監視装置２０へ送信する機能を具備する。
【００２５】
次に、本発明実施例の動作について説明する。図３はこの実施形態の基本となる、Ｖ５交換機３０のＬＡＰＶ５制御部３１の要部ブロック構成図である。図３の例のＬＡＰＶ５制御部３１は、データリンクレイヤ処理を行うＨＤＬＣドライバ５１と、Ｖ５インタフェースの上位レイヤ処理を行う（ＥＦａｄｄｒ処理及びＶ５ＤＬ処理）ＣＰＵ４１と各ソフトウェアと、データを格納するメモリ５２と上位レイヤ処理を行った結果のメッセージを時分割スイッチ３４および保守メッセージを多重するメッセージ多重部３２に接続するための入出力部５０とで構成される。上位レイヤ処理（ＥＦａｄｄｒ処理及びＶ５ＤＬ処理）を制御するＣＰＵ４１は、図２に示すＶ５フレームフォーマットのデータをＨＤＬＣドライバ５１から受信し、ＥＦａｄｄｒを取り出してＶ５ＤＬ（データリンク）ａｄｄｒを分離する。Ｖ５Ｄｌａｄｄｒのサービスアクセス点識別子ＳＡＰＩ＝１６なら無条件にＩフレーム３３を図３の入出力部５０へ出力する。出力したＩフレーム保守メッセージ４０にはＦＲ回線番号６０を追加しフレームリレーにてメッセージ多重部３２へ転送される。
【００２６】
図４はメッセージ多重部の動作を説明するための概念図である。図４のメッセージ多重部３２は、ＬＡＰＶ５制御部３１から転送された保守用メッセージ６１（Ｉフレーム）とＦＲ回線番号６０をパケット多重してリモート集中監視装置２０に送信する。
【００２７】
【発明の効果】
以上説明したように、本発明によれば、アクセスネットワークの保守メッセージを簡易にネットワークの管理装置に転送することができる。したがって、Ｖ５交換機側の開発コストを抑制でき、他メーカ製のアクセスネットワークの相互接続性が高くなりＶ５システム構築時の自由度が高くなる。さらに、別リンクを設置する必要がなくなり設備コストの抑制が可能である。
【図面の簡単な説明】
【図１】本発明実施例の加入者アクセス方式の全体構成図。
【図２】Ｖ５フレームフォーマットとその構成を示す図。
【図３】Ｖ５交換機のＬＡＰＶ５制御部の要部ブロック構成図。
【図４】メッセージ多重部の動作を説明するための概念図。
【図５】従来の加入者アクセス方式の全体構成図。
【符号の説明】
１、２  Ｖ５インタフェース
３  音声リンク
４、５、６  制御リンク
２０、７１  リモート集中監視装置
２１、２２  アクセスネットワーク
２３、３１  ＬＡＰＶ５制御部
３０  Ｖ５交換機
３２  メッセージ多重部
３３  Ｉフレーム
３４  時分割スイッチ
４０  保守メッセージ
４１  ＣＰＵ
５０  入出力部
５１  ＨＤＬＣドライバ
５２  メモリ
６０  ＦＲ回線番号
６１  保守用メッセージ
【図１】
0003607582.tif 000002
【図２】
0003607582.tif 000003
【図３】
0003607582.tif 000004
【図４】
0003607582.tif 000005
【図５】
0003607582.tif 000006